(57)【特許請求の範囲】
【請求項１】
機器本体内に外部電源から電源を供給する第１のプラグが挿入される第１のジャックと、
充電器を介して上記機器本体内に電源を供給するために上記充電器より突設する第２のプラグが挿入される第２のジャックと、
上記第１のジャックに設けられ、上記第１のプラグを押圧する第１の付勢手段と、
上記第２のジャックに設けられ、上記第２のプラグを上記第１の付勢手段よりも弱い付勢力で押圧する第２の付勢手段と、
を備える電子機器。
【請求項２】
上記第１の付勢手段は、上記第１のプラグを該第１のプラグの軸方向と略直交する方向に押圧し、
上記第２の付勢手段は、上記第２のプラグを該第２のプラグの軸方向と略直交する方向に押圧することを特徴とする請求項１記載の電子機器。
【請求項３】
上記第１のジャックにはＤＣ入力プラグが挿入されることを特徴とする請求項１記載の電子機器。
【請求項４】
上記第２のジャックは、上記充電器より突設する第２のプラグの負極と上記機器本体のマイナス側端子との接続を図る第１の付勢手段と摺接するとともに、上記充電器より突設する第２のプラグの正極と上記機器本体のプラス側端子との接続を図る第２の付勢手段とを備え、
上記第２のジャックは、上記充電器より突設する第２のプラグの負極及び正極と上記マイナス側端子及びプラス側端子を順次当接させることにより、グランドで上記充電器との電位を合わせた後、電源が供給されることを特徴とする請求項１記載の電子機器。
【請求項５】
電子機器が載置される載置部が設けられた基体部と、
上記基体部より立ち上がり形成され、上記載置部に載置された電子機器を支持する支持壁と、
上記載置部から突設され、上記電子機器の底面部に設けられた充電用ジャックと接続することにより上記電子機器に電源を供給する充電プラグとを備え、
上記充電プラグは、上記電子機器の充電用ジャック内に形成された第１の付勢手段により、上記電子機器の底面部に設けられた外部電源用ジャックに形成された第２の付勢手段よりも弱い力で付勢される充電スタンド。
【請求項６】
上記第１の付勢手段は、上記充電プラグを該充電プラグの軸方向と略直交する方向に付勢することを特徴とする請求項５記載の充電スタンド。
【請求項７】
上記充電プラグに形成された負極は、正極よりも上記充電プラグの先端に延在され、
上記充電プラグは、上記充電用ジャック内のマイナス側端子と上記負極が接続された後に、上記充電用ジャック内のプラス側端子と上記正極が接続されることを特徴とする請求項５記載の充電スタンド。
【請求項８】
上記支持壁は、上記電子機器本体の背面部と係合する係合部が設けられ、
上記係合部と上記電子機器本体とが係合することにより、上記充電プラグは、上記電子機器の充電用ジャックと接続することを特徴とする請求項５記載の充電スタンド。
【請求項９】
上記基体部の底面部には、該基体部を設置面に固着させる粘着部材が形成されることを特徴とする請求項５記載の充電スタンド。
【請求項１０】
機器本体内に外部電源から電源を供給する第１のプラグが挿入される第１のジャックと、
充電器を介して上記機器本体内に電源を供給するために上記充電器より突設する第２のプラグが挿入される第２のジャックと、
上記第１のジャックに設けられ、上記第１のプラグを押圧する第１の付勢手段と、
上記第２のジャックに設けられ、上記第２のプラグを押圧する第２の付勢手段とを備える電子機器と、
上記電子機器が載置される載置部が設けられた基体部と、
上記基体部より立ち上がり形成され、上記載置部に載置された上記電子機器を支持する支持壁と、
上記載置部から突設され、上記電子機器の底面部に設けられた第２のジャックに挿入することにより上記第２の付勢手段により押圧され、上記電子機器に電源を供給する上記第２のプラグとを備えた充電スタンドとを有し、
上記第２のジャックに設けられた第２の付勢手段は、上記第２のジャックに挿入した第２のプラグを上記第１の付勢手段よりも弱い付勢力で押圧する充電システム。
【請求項１１】
上記第１の付勢手段は、上記第１のプラグを該第１のプラグの軸方向と略直交する方向に押圧し、
上記第２の付勢手段は、上記第２のプラグを該第２のプラグの軸方向と略直交する方向に押圧することを特徴とする請求項１０記載の充電システム。
【請求項１２】
上記電子機器の背面側には係合凹部又は係合突部のいずれか一方が形成され、上記充電スタンドの支持壁には係合凹部又は係合突部のいずれか他方が形成され、
上記係合凹部と係合突部が係合することにより、上記電子機器は、上記第２のプラグが上記電子機器の第２のジャックと接続されて上記充電スタンドの上記載置部に載置されることを特徴とする請求項１０記載の充電システム。
【請求項１３】
上記充電スタンドの載置部には、上記第２のプラグの突設方向と同方向に突設され、上記載置部に載置された電子機器を取り外す方向に付勢する付勢部材が設けられ、
上記電子機器は、上記係合凹部と係合突部が係合されることにより、上記付勢部材の付勢力に対抗して上記載置部に載置され、上記係合凹部と係合突部との係合が解除されることにより、上記付勢部材により上記載置部から取り外される方向に付勢されることを特徴とする請求項１２載の充電システム。
【請求項１４】
上記基体部の底面部には、該基体部を設置面に固着させる粘着部材が形成されることを特徴とする請求項１０記載の充電システム。
【請求項１５】
上記第２のプラグに形成された負極は、正極よりも上記第２のプラグの先端に延在され、
上記第２のプラグは、上記第２のジャック内のマイナス側端子と上記負極が接続された後に、上記第２のジャック内のプラス側端子と上記正極が接続されることを特徴とする請求項１０記載の充電システム。
【発明の詳細な説明】
【０００１】
【発明の属する技術分野】
本発明は、電子機器に内蔵された二次電池を充電することができる充電スタンド、充電可能な二次電池を内蔵する電子機器及びこれらを用いた充電システムに関する。
【０００２】
【従来の技術】
従来より、ニッケルカドミウム蓄電池やニッケル水素充電池等の二次電池を用いた携帯型音楽再生機等の電子機器がある。このような電子機器においては、機器本体に充電回路を設け、二次電池を内蔵したまま充電装置に装着し、充電できるようにしている。
【０００３】
この電子機器は、充電装置に形成された外部電源を供給する充電プラグが挿入される充電用ジャックが設けられ、この充電用ジャック内に充電装置の充電プラグが挿入されることにより装着される。
【０００４】
このような電子機器の充電装置には、電子機器を立てかけるようにして支持するスタンドタイプのものがある。この充電スタンドは、電子機器の載置部より充電プラグが突設され、載置部に電子機器が載置されるとこの充電プラグが電子機器の底面部に形成された充電用ジャックに挿入され、電子機器に電源を供給する。
【０００５】
【発明が解決しようとする課題】
しかし、二次電池の充電に充電スタンドを用いるタイプの電子機器においては、充電用ジャック内に形成され充電プラグを狭持する端子部材の充電プラグに掛かる付勢力が強く、充電スタンドの載置部に機器本体を載置させた場合に、充電プラグが充電用ジャックの装着位置まで挿入されず、機器本体が充電スタンドの載置部より浮き上がってしまう場合があった。
【０００６】
また、充電が終了し、電子機器を充電スタンドより取り外そうとしたときに、充電スタンドの充電プラグが充電用ジャックの端子部材に狭持されて、充電スタンドが取り外せない場合があった。
【０００７】
さらに、電子機器とともに充電スタンドも持ち上げられた場合に、空中で充電プラグが外れてしまい、充電スタンドを落下させてしまう危険がある。
【０００８】
そこで、本発明は、内部電源と外部電源との切換機構を備え、二次電池を機器本体に内蔵したまま充電させることができる電子機器であって、充電装置との挿脱を容易に行うことができる電子機器、この電子機器に用いる充電スタンド及び充電システムを提供することを目的とする。
【０００９】
【課題を解決するための手段】
上述した課題を解決するために、本発明にかかる電子機器は、機器本体内に外部電源から電源を供給する第１のプラグが挿入される第１のジャックと、充電器を介して上記機器本体内に電源を供給するために上記充電器より突設する第２のプラグが挿入される第２のジャックと、上記第１のジャックに設けられ、上記第１のプラグを押圧する第１の付勢手段と、上記第２のジャックに設けられ、上記第２のプラグを上記第１の付勢手段よりも弱い付勢力で押圧する第２の付勢手段とを備えるものである。
【００１０】
また、本発明にかかる充電スタンドは、電子機器が載置される載置部が設けられた基体部と、上記基体部より立ち上がり形成され、上記載置部に載置された電子機器を支持する支持壁と、上記載置部から突設され、上記電子機器の底面部に設けられた充電用ジャックと接続することにより上記電子機器に電源を供給する充電プラグとを備え、上記充電プラグは、上記電子機器の充電用ジャック内に形成された第１の付勢手段により、上記電子機器の底面部に設けられた外部電源用ジャックに形成された第２の付勢手段よりも弱い力で付勢されるものである。
【００１１】
また、本発明にかかる充電システムは、機器本体内に外部電源から電源を供給する第１のプラグが挿入される第１のジャックと、充電器を介して上記機器本体内に電源を供給するために上記充電器より突設する第２のプラグが挿入される第２のジャックと、上記第１のジャックに設けられ、上記第１のプラグを押圧する第１の付勢手段と、上記第２のジャックに設けられ、上記第２のプラグを押圧する第２の付勢手段とを備える電子機器と、上記電子機器が載置される載置部が設けられた基体部と、上記基体部より立ち上がり形成され、上記載置部に載置された上記電子機器を支持する支持壁と、上記載置部から突設され、上記電子機器の底面部に設けられた第２のジャックに挿入することにより上記第２の付勢手段により押圧され、上記電子機器に電源を供給する上記第２のプラグとを備えた充電スタンドとを有し、上記第２のジャックに設けられた第２の付勢手段は、上記第２のジャックに挿入した第２のプラグを上記第１の付勢手段よりも弱い付勢力で押圧するものである。
【００１２】
【発明の実施の形態】
以下、本発明が適用された電子機器、充電スタンド及び充電システムについて、図面を参照して詳細に説明する。この電子機器１は、図１に示すように、音楽データ等が記録された記録媒体の記録・再生を行う携帯型の記録再生装置であり、略矩形状に形成されたシャーシ内にディスク状記録媒体が配設されたディスクカートリッジが収納されている。
【００１３】
この電子機器１は、図２に示すように、機器本体２を構成する上下一対のシャーシ３，４と、このシャーシ３，４内に配設され、ディスクカートリッジ５の挿脱を行うメカデッキ部６と、ディスクカートリッジ５を保持するとともに機器本体２からの挿脱をガイドするカートリッジ保持部材７と、回路が形成されコネクタ端子等の電子部品が実装されている回路基板８と、電池収納部９と、上シャーシ３の開閉を規制する開閉部材１０とを有する。
【００１４】
この電子機器１は、主面部１ａに、電子機器１の操作部１２及び曲名等が表示される液晶表示部１３が形成されている。また、電子機器１は、一側面部１ｂに回路基板８に実装されたコネクタ端子の挿入孔１５が開口されている。また、電子機器１は、底面部１ｃに、外部電源を取り込む外部電源用ジャック１６と、後述する充電スタンドに設けられた充電プラグが挿入される充電用ジャック１７とが形成されている。外部電源用ジャック１６及び充電用ジャック１７とは、ともに回路基板８上に実装され、プラグが挿入される開口部が電子機器１の底面部１ｃより外方に臨まされている。
【００１５】
家庭用交流電源を直流に変換するＤＣアダプタのＤＣプラグが挿入される外部電源用ジャック１６は、図２に示すように、一端側が開口されＤＣアダプタのＤＣプラグ２０が差し込まれる略矩形状の筐体１６ａが形成されている。筐体１６ａは、このＤＣプラグ２０が差し込まれる開口部１６ｂを外方に臨ませて回路基板８上に実装されている。そして、開口部１６ｂは、回路基板８が下シャーシ４に組み付けられることにより、電子機器１の底面部１ｃより外方に臨まされている。
【００１６】
筐体１６ａ内には、図３に示すように、ＤＣプラグ２０が差し込まれることにより、ＤＣアダプタと電子機器１とを接続させる略棒状の中心電極２１と、筐体１６内に突設されている接続端子２２と、ＤＣプラグ２０に押圧されることにより接続端子２２との接続を絶ち、電子回路を切り換える切換端子２３が形成されている。これら中心電極２１、接続端子２２、切換端子２３は、筐体１６ａより内方側に延在され、回路基板８に形成された配線パターンと接続されている。
【００１７】
中心電極２１は、筐体１６ａの開口部１６ｂより外方に臨まされ、外部電源用ジャック１６内に差し込まれたＤＣプラグ２０の中空電極２０ａ内に挿通される。接続端子２２は、ＤＣプラグ２０が筐体１６ａ内に差し込まれていない状態においては、切換端子２３と接続されている。そして、接続端子２２は、ＤＣプラグ２０が筐体１６ａ内に接続されることにより、切換端子２３がＤＣプラグ２０に押圧されることにより、切換端子２３との接続が切られる。また、ＤＣプラグ２０に押圧される切換端子２３は、弾性を有する板状体からなり、折り曲げ形成されることによりＤＣプラグ２０の中空電極２０ａに押圧される押圧部２３ａと、接続端子２２に当接される接続端２３ｂとが形成されている。この切換端子２３は、接続端２３ｂが接続端子２２側に付勢され、ＤＣプラグ２０が挿入されない状態においては接続端子２２と接続されている。そして、切換端子２３は、ＤＣプラグ２０が挿入されると、ＤＣプラグの中空電極２０ａに押圧され、接続端２３ｂが接続端子２２と離間する方向に弾性変位される。これにより、切換端子２３は、ＤＣプラグ２０と電子機器１の電子回路を接続するとともに、電子回路の切換を行う。
【００１８】
以上のような外部接続用ジャック１６は、ＤＣプラグ２０が差し込まれることにより、切換端子２３がＤＣプラグの中空電極２０ａに押圧されて弾性変位し、ＤＣプラグ２０を該ＤＣプラグ２０の軸方向と略直交する方向に押圧する。また、外部電極用ジャック１６の中心電極２１は、ＤＣプラグ２０の中空電極２０ａに挿入されることにより、保持力を生ずる。したがって、ＤＣプラグ２０には、外部電源用ジャック２０内に挿入する際及び引き抜く際に、切換端子２３及び中心電極２１による所定の付勢力が加わる。具体的には、ＤＣプラグ２０には、外部電源用ジャック２０内に挿入する際に約８．４Ｎ（ｍｉｎ）、引き抜く際に約３．８Ｎ（ｍｉｎ）の付勢力が加わる。
【００１９】
次いで、この電子機器１の電源を供給する充電用ジャック１７について説明する。充電用ジャック１７は、上述した外部電源用ジャック１６近傍に形成され、後述する充電スタンドの充電プラグが差し込まれることにより、充電スタンドを介して電子機器１に電源を供給し、また電池収納部９に収納された二次電池に充電が行われる。この充電用ジャック１７は、図２に示すように、後述する充電プラグが差し込まれる略矩形状の筐体１７ａが形成されている。筐体１７ａは、この充電プラグが挿入される開口部１７ｂを外方に臨ませて回路基板８上に実装されている。そして、開口部１７ｂは、回路基板８が下シャーシ４に組み付けられることにより、電子機器１の底面部１ｃより外方に臨まされている。
【００２０】
筐体１７ａ内には、充電プラグが差し込まれることにより、電子機器１の回路基板８に形成された電子回路を切り換える切換スイッチ２９が形成されている。切換スイッチ２９は、図４に示すように、第１のマイナス側端子３０と、第２のマイナス側端子３１と、第１及び第２のマイナス側端子３０，３１とを導通させる端子板３２と、プラス側端子３３とを有する。
【００２１】
第１のマイナス側端子３０は、筐体１７ａの一側面部３４に形成され、回路基板８に形成されている配線パターンとの導通が図られている。また、第２のマイナス側端子３１は、筐体１７ａの開口部１７ｂと対向する背面部３５に形成され、同様に回路基板８に形成されている配線パターンとの導通が図られている。第１及び第２のマイナス側端子３０，３１の導通を図る端子板３２は、弾性を有する略板状体からなり、一端部３２ａを第１のマイナス側端子３０の一端部と接続されるとともに略Ｕ字状に折り曲げられて、他端部３２ｂを第２のマイナス側端子３１の一端部に当接されている。この端子板３２は、後述する充電スタンドより突設されている充電プラグが充電用ジャック１７内に差し込まれることにより、該充電プラグにより押圧され、他端部３２ｂが第２のマイナス側端子３１より離間される。これにより、端子板３２は、第１のマイナス側端子３１と第２のマイナス側端子３１との導通を切断するとともに、充電プラグのマイナス側電極部と接続し、さらに充電プラグを所定の付勢力で充電プラグの軸方向と略直交する方向に押圧する。
【００２２】
また、プラス側端子３３は、第１のマイナス側端子３０が形成された筐体１７ａの一側面部３４と対向する他側面部３６に形成されている。このプラス側端子３３は、筐体１７ａの背面部３５側にかけて二股に分岐されている。プラス側端子３３の二股の一端部３３ａは、筐体１７ａの一側面部３４側への付勢力を有し、筐体１７ａ内に形成された係止部３８に係止されている。そして、プラス側端子３３の一端部３３ａは、後述する充電スタンドより突設されている充電プラグが充電用ジャック１７に差し込まれることにより、該充電プラグに押圧され、充電プラグのプラス側電極部と接続するとともに、充電プラグを所定の付勢力で充電プラグの軸方向と略直交する方向に押圧する。また、プラス側端子３３の二股の他端部３３ｂは、筐体１７ａの背面部３５側に延在され、回路基板８の配線パターンと導通されている。
【００２３】
以上のような充電プラグを押圧する充電用ジャック１７の端子板３２及びプラス側端子３３の一端部３３ａは、充電プラグが差し込まれることにより、充電プラグの軸方向と略直交する方向に充電プラグを押圧する付勢力を加える。具体的には、充電プラグを充電用ジャック１７に差し込む際に約０．９８Ｎ、引き抜く際に約０．５９Ｎの付勢力を加える。
【００２４】
以上のような充電用ジャック１７は、電子機器１が充電スタンドに載置される前においては、図４に示すように、端子板３２を介して第１及び第２のマイナス側端子３０，２１の導通が図られている。
【００２５】
そして、図５（Ａ）に示すように、電子機器１が充電スタンドに載置されて充電プラグが差し込まれると、充電用ジャック１７は、図５（Ｂ）に示すように、充電プラグに押圧されて、端子板３２が筐体１７ａの一側面部３４側に弾性変位される。したがって、端子板３２は、他端部３２ｂが第２のマイナス側端子３１より離間され、第１及び第２のマイナス側端子との導通を切断するとともに、充電プラグのマイナス側電極部と第１のマイナス側端子３０とを接続する。その後、さらに充電プラグが筐体１６ａ内に挿入されると、図５（Ｃ）に示すように、プラス側端子３３は、充電プラグのプラス側電極部と接続される。また、端子板３２及びプラス側端子３３の一端部３３ａは、充電プラグに押圧されることにより、図５（Ｄ）に示すように、筐体１７ａの一側面部３４又は他側面部３６側に弾性変位される。したがって、端子板３２及び一端部３３ａは、充電プラグを所定の付勢力で充電プラグの軸方向と直交する方向に押圧する。
【００２６】
なお、端子板３２及び一端部３３ａは、充電プラグが充電用ジャック１７内に差し込まれることにより充電プラグが摺接される。したがって、端子板３２及び一端部３３ａは、塵埃等が付着した場合にも、充電プラグによるクリーニング効果により塵埃等を除去することができる。
【００２７】
機器本体２内に収納されている回路基板８は、以上のような切換スイッチ２９の動作に応じて、次のような電気回路網を構成する。先ず、電子機器１を電池収納部９内に収納された一次電池又は二次電池により駆動させる場合は、外部電源用ジャック１６内にＤＣアダプタが挿入されず、また充電用ジャック１７内に充電プラグが挿入されていないため、電子機器１は、図６（Ａ）に示すような電気回路網を構成する。
【００２８】
すなわち、電池使用時においては、外部電源用ジャック１６の中心電極２１には電源は供給されていない。また、切換端子２３は接続端子２２側に付勢して、接続部２３ｂが接続端子２２先端と接続されている。充電ジャック１７の端子板３２は、筐体１７ａの他側面部３６側に付勢して第２のマイナス側端子３１と接続され、第１及び第２のマイナス側端子３０，３１とを接続している。また、プラス側端子３３には電源は供給されていない。
【００２９】
これにより、切換端子２３、接続端子２２、第１及び第２のマイナス側端子３０、３１と、一次電池又は二次電池とが接続される。したがって、図６（Ａ）に示す回路網においては、一次電池又は二次電池の電源が電源ラインを介して機器本体２内の各部へ供給される。
【００３０】
次いで、機器本体２の外部電源用ジャック１６にＤＣアダプタのＤＣプラグ２０を差し込み、電子機器１を商用電力により駆動させる場合は、図６（Ｂ）の電気回路網に示すように、ＤＣプラグ２０の中空電極２０ａと切換端子２３が接続されるとともに、切換端子２３の接続端２３ｂが接続端子２２から離間させる。また、ＤＣプラグ２０の中空電極２０ａと外部電源用ジャック１６の中心電極とが接続される。
【００３１】
これにより、ＤＣプラグ２０と中心電極２１及び切換端子２３とが接続されるとともに、接続端子２２が接続端子２３と離間され、一次電池又は二次電池のグランドが切れる。したがって、図６（Ｂ）に示す電気回路網においては、一次電池又は二次電池の電源は機器本体２内へは供給されない。そして、電子機器１は、ＤＣアダプタのＤＣプラグ２０から供給される電源が電源ラインを介して機器本体２内の各部へ供給される。
【００３２】
次いで、機器本体２の充電用ジャック１７に充電スタンドの充電プラグを差し込み、電子機器１を充電スタンドに接続されたＤＣアダプタより供給される商用電力により駆動させる場合は、図６（Ｃ）の電気回路網に示すように、充電プラグのマイナス側電極部と充電ジャック１７内に設けられた第１のマイナス側端子３０とが接続されるとともに、充電プラグのプラス側電極部と充電ジャック１７内のプラス側端子３１とが接続される。
【００３３】
このとき、端子板３２が充電プラグに押圧され、第２のマイナス側端子３１と離間される。これにより、第２のマイナス側端子３１は第１のマイナス側端子３０との接続が絶たれ、一次電池又は二次電池のグランドが切れる。したがって、図６（Ｃ）に示す電気回路網においては、一次電池又は二次電池の電源は機器本体２内へは供給されない。そして、電子機器１は、ＤＣアダプタが接続された充電スタンドの充電プラグから供給される電源が電源ラインを介して機器本体２内の各部へ供給される。
【００３４】
また、上述したＤＣプラグ又は充電プラグが機器本体２内に差し込まれた状態において、機器本体２内に供給される電源により電池収納部９内に収納された二次電池の充電を行う場合は、機器本体２の操作部１２に形成された充電ボタンを押すことにより、二次電池のマイナス側と切換端子２３とを導通させる。
【００３５】
このとき、電子機器１内のＣＰＵは、検出された充電プラグから供給される電圧値に基づいて充電スタンドに載置されたことを検出する。また、電子機器１内のＣＰＵは、電池収納部９に二次電池が収納されていることを検出する。その後、電子機器１は、機器本体２の操作部１２に形成された充電ボタンを操作することにより、グランドと接続された切換端子２３と二次電池のマイナス側端子とを接続する。これにより、二次電池は、ＤＣプラグ又は充電プラグと接続され、ＤＣアダプタ又は充電スタンドより電源が供給されて充電が行われる。
【００３６】
機器本体２内に収納された電子機器１の電池収納部９には、電源を供給するための、乾電池等の一次電池及びニッケルカドミウム蓄電池やニッケル水素充電池等の二次電池を収納することができる。そして、この二次電池は、電子機器１が充電回路を備えることにより、電池収納部９に収納された状態で、充電スタンドより充電される。
【００３７】
そして、電子機器１は、電池収納部９に収納された一次電池又は二次電池より電源が供給されることにより駆動される。また、電子機器１は、底面部１ｃに形成された外部電源用ジャック１６にＤＣアダプタのＤＣプラグが差し込まれることにより、商用電源を用いて駆動される。
【００３８】
以上のような構成を有する電子機器１は、メカデッキ部６、カートリッジ保持部材７、回路基板８、電池収納部９、開閉部材１０が上下シャーシ３，４内に組み付けられている。この電子機器１は、図７に示すように、上シャーシ３の底面側の側縁部が回動されることによりカートリッジ保持部材７の一端を外方に臨ませ、ディスクカートリッジ５が挿入される。そして、電子機器１は、操作部１２が操作されることにより、ディスクカートリッジ５に配設されたディスク状記録媒体に記録された音楽データ等の情報信号を再生し、また、このディスク状記録媒体に情報信号の記録を行う。
【００３９】
次に、上述した電子機器１の電池収納部９に収納された二次電池へ充電を行う充電スタンドについて説明する。この充電スタンド５０は、図８に示すように、略矩形状の基体部５１と、基体部５１上に形成され、電子機器１が載置される載置部５２と、載置部５２に載置された電子機器１を支持する支持壁５３が形成された支持部材５４と、基体部５１から突設され、電子機器１の底面部１ｃに形成された充電用ジャック１７と接続することにより電子機器１に収納された二次電池を充電する充電プラグ５５とを有する。
【００４０】
基体部５１は、支持部材５４が配設される上面部５１ａが背面部５１ｂ側に傾斜されている。また、基体部５１は、上面部５１ａに、電子機器１の充電用ジャック１７に差し込まれる充電プラグ５５が突設されている。
【００４１】
また、基体部５１は、背面部５１ｂに、ＤＣアダプタのプラグが差し込まれることにより、商用電源が供給されるＤＣジャック５６が形成されている。充電スタンド５０は、ＤＣジャック５６にＤＣアダプタが接続されることにより電源が供給され、載置部５２に充電プラグ５５を差し込まれて載置されている電子機器１を充電する。
【００４２】
基体部５１の上面部５１ａ側より配設される支持部材５４は、基体部５１の傾斜面に沿って傾斜するとともに凹状面が形成された載置部５２が形成されている。載置部５２は、電子機器の底面部１ｃと略同一の大きさに形成され、略中央部に開口部５２ａが形成され、基体部５１の上面部より突設する充電プラグ５５が突設されている。また、支持部材５４は、基体部５１の背面部５１ｂ側より電子機器１の背面部１ｄを支持する支持壁５３が立ち上がり形成されている。支持壁５３は、基体部５１の背面部５１ｂ側に傾斜する上面部５１ａと略直交する方向に形成され、載置部５２に載置された電子機器１をやや背面部５１ｂ側に傾けて支持する。また、支持壁５３は、立ち上がり方向の両側縁部に、電子機器１の載置部５２への載置をガイドするガイド片５７が形成されている。さらに、支持壁５３は、立ち上がり方向の上側縁部に、電子機器１の背面部１ｄに張り出し形成された電池収納部９の膨出部に対応した湾曲部５８が形成されている。
【００４３】
基体部１０より突設され、電子機器１の充電ジャック１７内に差し込まれることにより電子機器１に電源を供給する充電プラグ５５は、図４、図５及び図８に示すように、略直方体状に形成され、充電用ジャック１７に差し込まれることにより、端子板３２と対向する一側面側にマイナス側電極部５５ａが形成され、プラス側端子３１と対向する他側面側にプラス側電極部５５ｂが形成されている。
【００４４】
マイナス側電極部５５ａは、プラス側電極部５５ｂよりも充電プラグ５５の先端側に延在されて形成されている。したがって、充電プラグ５５は、充電用ジャック１７内に差し込まれると、マイナス側電極部５５ａが端子板３２を押圧して端子板３２の一端部３２ａを第２のマイナス側端子３１から離間させた後に、プラス側電極部５５ｂがプラス側端子３３と接続される。
【００４５】
すなわち、電子機器１は、図５（Ａ）乃至（Ｄ）に示すように、充電スタンド５０の充電プラグ５５が差し込まれると、先に、充電プラグ５５のマイナス側電極部５５ａと第１のマイナス側端子３０とが接続され、次いで、充電プラグ５５のプラス側電極部５５ｂとプラス側端子３３とが接続される。したがって、電子機器１は、充電スタンド５０側とのグランドを共通にさせた後に、充電スタンド５０より電力が供給されることとなり、電子部品等が帯電している電子機器１側に充電プラグ５５から電力が供給されることによる絶縁破壊等を防止することができる。
【００４６】
このような充電スタンド５０は、ＤＣジャック５６にＤＣアダプタが接続されるとともに二次電池が収納された電子機器１が載置部５２に載置されると、上述したように、充電プラグ５５が電子機器１の充電用ジャック１７内に差し込まれ、筐体１７内に形成された端子板３２及びプラス側端子３３の一端部３３ａにより所定の付勢力で付勢されることにより、電子機器１の第１のマイナス側端子３０及びプラス側端子３３との導通が図られる。
【００４７】
次いで、充電スタンド５０は、載置部５２に載置された電子機器の二次電池に充電を行う。充電が完了すると、充電スタンド４９は、載置部５２より電子機器１を取り外す。このとき、充電用ジャック１７に差し込まれ、充電用ジャック１７内に形成された端子板３２及びプラス側端子３３の一端部３３ａにより所定の付勢力で付勢されていた充電プラグ５５が引き抜かれ、充電スタンド５０から電子機器１が取り外される。
【００４８】
以上のような充電スタンド５０の充電プラグ５５は、充電用ジャック１７に差し込むと、充電用ジャック１７の端子板３２及びプラス側端子３３の一端部３３ａによって、充電プラグ５５の軸方向と略直交する方向に充電プラグ５５を押圧する付勢力が加えられる。具体的には、充電プラグ５５は、充電用ジャック１７に差し込まれる際に約０．９８Ｎ、引き抜かれる際に約０．５９Ｎの付勢力が加えられる。
【００４９】
すなわち、本発明が適用された充電スタンド５０によれば、電子機器１の充電用ジャック１７に差し込まれる充電プラグ５５は、充電用ジャック１７の端子板３２及びプラス側端子３３の一端部３３により加えられる付勢力が、上述した電子機器１の外部電源用ジャック１６によりＤＣプラグ２０が加えられる付勢力に比して小さい。したがって、この充電スタンド５０によれば、充電プラグ５５は、充電用ジャック１７の奥まで確実に差し込まれ、電子機器１を載置部５２に載置させる際に、充電プラグ５５が充電用ジャック１７に深く差し込まれず、機器本体２が載置部５２より浮き上がってしまうことを防止することができる。また、充電が完了した後、電子機器１を載置部５２から取り外すときにも、充電プラグ５５が充電用ジャック１７から容易に引き抜かれるため、充電プラグ５５が端子板３２及びプラス側端子３３の一端部３３ａに狭持されて充電スタンド５５が電子機器１とともに持ち上げられてしまうことを防止することができる。
【００５０】
また、本発明が適用された電子機器及び充電スタンドは、電子機器が充電スタンドに載置されたときに、互いに係合する係合凹部又は係合突部を形成してもよい。すなわち、図８及び図９に示すように、電子機器１は、背面部１ｄに略矩形状の係合凹部７１が形成される。また、充電スタンド５０は、支持壁５３の係合凹部に対応する位置に、略矩形状の係合突部７２が形成される。そして、電子機器１に形成された係合凹部７１は、機器本体２が充電スタンド５０の載置部５２に載置され、充電プラグ５５が充電用ジャック１７の端子板３２とプラス側端子３２により狭持されることにより、支持壁５３に形成されている係合突部７２に係合される。
【００５１】
これにより、電子機器１に形成された係合凹部７１に、充電スタンド５０に形成された係合突部７２が係合されることで、電子機器１が充電スタンド５０の載置部５２に確実に装着させることができる。したがって、電子機器１は、充電スタンド５０に装着させた際に、機器本体２が載置部５２より浮き上がった状態となることを防止することができる。
【００５２】
また、本発明が適用された電子機器及び充電スタンドは、充電スタンド５０の基体部５１に充電プラグ５５の突設方向と同方向に突設され、載置部５２に載置された電子機器１を取り外す方向に付勢する付勢部材７４を形成してもよい。すなわち、図８に示すように、充電スタンド５０の基体部５１は、付勢部材７４が突設され、載置部５２の開口部５２ａより載置部５２上に突出されている。この付勢部材７４は、基体部５１内に配設された図示しない圧縮バネ等により支持され、基体部５１上に突出されるとともに、押圧されることにより基体部５１内に押し下げられる。
【００５３】
この付勢部材７４は、充電スタンド５０の載置部５２に電子機器１が載置されると、電子機器１の底面部１ｃに押圧されて基体部５１内に押し下げられる。このとき、上述したように、電子機器１の係合凹部７１には充電スタンド５０の支持壁５３に設けられた係合突部７２が係合されている。したがって、電子機器１は、付勢部材７４の付勢力により載置部５２から突き上げられることが防止されている。そして、付勢部材７４は、係合凹部７１と係合突部７２との係合を外して電子機器１が載置部５２より持ち上げられると、基体部５１内に配設されている圧縮バネ等に付勢され載置部５２上に突出される。したがって、付勢部材７４は、電子機器１の底面部１ｃを取り外す方向に付勢する。これにより、電子機器１は、充電スタンド５０の充電プラグ５５と底面部１ｃに形成された充電用ジャック１７との係合を解除することができ、充電スタンド５０が電子機器１の充電用ジャック１７に狭持されて、機器本体２とともに持ち上げてしまうことを防止することができる。
【００５４】
また、本発明が適用された電子機器及び充電スタンドは、図８に示すように、充電スタンド５０の基体部５１に、設置面との密着力を向上させる粘着部材を配設してもよい。すなわち、基体部５１の底面部５１ｃには、基体部５１と設置面との接着力を向上させる粘着部材７５がコーナ部に貼着されている。この粘着部材７５は、例えば設置面にアクリル系ポリマーフォームを基材とした吸着構造が形成された支持体からなり、基体部５１の底面部５１ｃに、設置面を外方に向けてアクリル系接着剤を介して貼着されている。
【００５５】
そして、粘着部材７５は、載置部５２に電子機器１が載置されると、充電スタンド５０及び機器本体２の自重により、設置面に対して押圧される。これにより粘着部材７５は、設置面に対して通常のゴム材等と比して強固に密着され、充電スタンド５０に仮想的な重量を付与する。
【００５６】
これにより、充電スタンド５０は、設置面との密着力を向上させることができる。したがって、電子機器１は、充電スタンド５０の載置部５２より取り上げられる際にも、充電スタンド５０が設置面に密着され、機器本体２とともに充電スタンド５０を持ち上げてしまうことを防止することができる。
【００５７】
なお、このような粘着部材７５としては、具体的には、エクセル・トレディング社製のレガボンドＳ（商品名）が用いられる。
【００５８】
【発明の効果】
以上、詳細に説明したように、本発明にかかる電子機器、充電スタンド及び充電システムによれば、充電器のプラグをジャック内に設けられている付勢手段により弱い付勢力で押圧するため、機器本体を充電器に載置したとき、プラグがジャック内に確実に差し込まれ、機器本体が充電器より浮き上がってしまうことを防止することができる。
【００５９】
また、機器本体を充電器より外す際にも、充電器のプラグがジャック内に設けられている付勢手段により狭持され、電子機器とともに充電器を持ち上げてしまうことを防止することができる。
【図面の簡単な説明】
【図１】充電スタンドに載置された電子機器を示す斜視図である。
【図２】電子機器の分解斜視図である。
【図３】電子機器の外部電源用ジャックを示す断面図である。
【図４】電子機器の充電用ジャックを示す断面図である。
【図５】充電プラグが差し込まれた充電用ジャックを示す断面図である。
【図６】電子機器内の電子回路網を示す図である。
【図７】ディスクカートリッジが挿入される電子機器を示す斜視図である。
【図８】充電スタンドを示す斜視図である。
【図９】電子機器が載置された充電スタンドを示す断面図である。
【符号の説明】
１  電子機器、２  機器本体、８回路基板、９電池収納部、１２  操作部、１６外部電源用ジャック、１７  充電用ジャック、２０  ＤＣプラグ、２１  中心電極、２２  接続端子、２３  切換端子、３０  第１のマイナス側端子、３１  第２のマイナス側端子、３２  端子板、３３  プラス側端子、５０  充電スタンド、５１  基体部、５２  載置部、５３  支持壁、５４  支持部材、５５  充電プラグ、５６  ＤＣジャック、５７  ガイド片、５８  湾曲部、７１  係合凹部、７２  係合突部、７４  付勢部材、７５  粘着部材
【図１】
0003788319.tif 000002
【図２】
0003788319.tif 000003
【図３】
0003788319.tif 000004
【図４】
0003788319.tif 000005
【図５】
0003788319.tif 000006
【図６】
0003788319.tif 000007
【図７】
0003788319.tif 000008
【図８】
0003788319.tif 000009
【図９】
0003788319.tif 000010